(57)【特許請求の範囲】
【請求項１】
蓋本体部と、
食器部と、
前記蓋本体部と前記食器部との間に配置されるシール材と、を有する蓋体であり、
前記蓋本体部と前記食器部とは、複数の接続部を介して接続され、
前記蓋本体部と前記食器部とは一体に形成され、
前記蓋本体部を構成する淵部と天板部は、一体成型され、
前記蓋本体部と前記食器部は、前記シール材を貫通する前記複数の接続部を介して一体に成型される、蓋体。
【請求項２】
請求項１に記載の蓋体と、
前記蓋体と嵌合可能であって、底部及び胴部により収納空間を形成する器と、を有する容器。
【発明の詳細な説明】
【技術分野】
【０００１】
本発明は、蓋体及びそれを用いた容器に関する。
【背景技術】
【０００２】
現在、大量のプラスチック容器が市場に流通している。これらプラスチック容器のなかでも、例えばプリン等の食品用に用いられるプラスチック容器においては、蓋体において別体として又は一体としてスプーンが付属しているものがある。
【０００３】
このようにスプーンが付属したプラスチック容器の蓋体の例として、例えば、下記特許文献1に、剥離層の形成された蓋天板を蓋体と一体成型するとともに剥離層を介してスプーンを一体成型したスプーン付蓋体とその製造方法が開示されている。
【０００４】
【特許文献１】特開平８−９１４１６号公報
【発明の開示】
【発明が解決しようとする課題】
【０００５】
しかしながら、上記特許文献１では、スプーンと蓋体とを一体成型しているものの、蓋天板の殆どが紙を主体とした構成であるため機械的強度、密封性において課題が残り、また、その製造方法である射出成型においても材料となる樹脂の流動性においても課題が残る。
【０００６】
そこで、本発明は、上記課題を鑑み、新規な蓋体及びそれを用いた容器を提供することを目的とする。
【課題を解決するための手段】
【０００７】
即ち、本発明の一手段にかかる蓋体は、蓋本体部と、食器部と、蓋本体部と食器部との間に配置されるシール材と、を有することとする。
【０００８】
また、この手段において、限定されるわけではないが、蓋本体部と食器部とは接続部を介して接続されていることも望ましく、また、限定されるわけではないが、蓋本体部と食器部とは一体に形成されていることも望ましい。
【０００９】
また、この手段において食器部は、限定されるわけではないが、スプーン、フォーク、ナイフ又はへらの何れかであることも望ましい。
【００１０】
また、本発明の一手段にかかる容器は、蓋本体部、食器部、及び、蓋本体部と食器部との間に配置されるシール材、を有する蓋体と、蓋体と嵌合可能であって、底部及び胴部により収納空間を形成する器と、を有することとする。
【発明の効果】
【００１１】
以上、本発明により、新規な蓋体及びそれを用いた容器を提供することができる。
【発明を実施するための最良の形態】
【００１２】
以下、本発明の実施形態について図面を参照しつつ説明する。ただし、本発明は多くの異なる態様で実施することが可能であり、以下に示す実施形態に限定されるものではない。なお、本明細書においては同一又は同様の機能を有する部分には同一の符号を付し、その繰り返しの説明は省略する。
【００１３】
（実施形態１）
まず図１に、本実施形態に係る容器における蓋体１の内面図（容器内側から見た場合の図）を、図２に外面図（容器外側から見た場合の図）を、図３に図１におけるＡ−Ａ’断面図を、図４に図１におけるＢ−Ｂ’断面図を、それぞれ示す。
【００１４】
図１乃至図４に示すとおり、蓋体１は、蓋本体部２と、スプーン３と、蓋本体部２とスプーン３との間に配置されるシール材４と、を有して構成されている。また特に、図３が示すとおり、本実施形態に係る蓋体１において蓋本体部２とスプーン３は、シール材４を貫通する接続部５を介して一体に成型されている。
【００１５】
図１乃至図４に示すとおり蓋体１における蓋本体部２は、蓋体の主要な部位の一つであり、器６と嵌合可能なように成型される淵部２１と、蓋として機能する天板部２２とに大きく分けることができる。天板部２２の断面形状としては、中心部分に向かうに従い盛り上がるドーム形状であってもよいし、平板状であってもよい。またその平面形状としては円形であってもよいし、楕円形状であってもよく、更には角の丸い四角形など様々な形状を採用することができ、特に限定されない。なお、図１乃至図４が示すとおり、本実施形態に係る蓋体１は、平面形状が円形で断面形状がドーム形状のものとなっている。
【００１６】
蓋本体部２の材質としては、一体成型できる限りにおいて特段制限はなく、いわゆる熱可塑性のプラスチック、例えばアクリロニトリル−ブタジエン−スチレン共重合体（ＡＢＳ）、ポリエチレン樹脂（ＰＥ）、ポリプロピレン樹脂（ＰＰ）、ポリスチレン樹脂（ＰＳ）、ポリカーボネート樹脂（ＰＣ）、ポリブチレンテレフタレート樹脂（ＰＢＴ）、ポリエチレンテレフタレート樹脂（ＰＥＴ）、ポリオキシメチレン樹脂（ＰＯＭ）、ポリ塩化ビニル（ＰＶＣ）、アクリル樹脂（ＰＭＭＡ）等を用いることができる。
【００１７】
また、図１乃至図４に示すとおり、シール材４は、蓋本体部２の内面側に接着して配置されるものであり、蓋本体部２の天板部２２全体を覆うように配置されている。シール材４の材質としては、蓋本体部２に接着可能である限りにおいて特段限定されないが、例えば、プラスチックフィルム、アルミニウム薄膜、紙、合成紙等を好適に用いることができる。なお本実施形態においてシール材４は、蓋本体部２全体を覆うように配置されているが、スプーン部３よりも広ければ、蓋本体部２全体を覆っていなくてもよい。
【００１８】
また、図１乃至４に示すとおり、スプーン３は、容器を開封して器６に収容された食品等を取り出す際に、取り外して使用する食器部である。なおここで「食器部」とは、食品をすくう、刺す、切る等の動作を行うことのできる食事用具をいい、本実施形態では一例としてスプーンになっているが、これに限られず例えばフォーク、ナイフ、更にはへらとすることも可能であり、詳細はそれら形状に応じて適宜調整可能である。
【００１９】
スプーン３は、皿部３１と、柄部３２に構造上分けることができる。皿部３１は、容器に収容される食品を取り出す際にその食品を載せるための部分であって、図１乃至図４ではくぼみを有する略楕円形状となっているがこれに限定されない。またこの皿部３１の周辺にはスプーンの強度を補強するための隆起部３３が形成されている。
【００２０】
スプーン３の柄部３２は、スプーンを使用する際に把持するための部分であって、長い板形状となっている。柄部３２の周辺にも、皿部３１と同様にスプーン３の強度を補強するための隆起部３３が形成されている。また柄部３２には、貫通した孔部３４が形成されており、更に孔部３４にはスプーン３と蓋本体部２とを接続する軸方向（図１におけるＢ−Ｂ’軸方向）に対向した一対の接続部５が形成されている。なお、スプーン３の柄部３２には、この一対の接続部５のそれぞれに接続する隆起部３５が形成されている（後の製造方法において詳細に説明するが、この隆起部３５は溶融した材料が流れる流路となっている）。なお、孔部３４の形状としては、後述の製造工程における効果を達成する限りにおいて特段に制限なく、例えば円形、楕円形、多角形等とすることができる。なお、スプーン３の材質は、蓋本体部２と一体成型されるため、蓋本体部２と同じ材料を採用することができる。また、接続部５の数は、本実施形態では２つの例を示しているが、これに限られず、３つ以上有することも可能である。
【００２１】
蓋体１は、器６と嵌合することによりヨーグルト等の食品を収容、保存させておくことが可能である。図５に、蓋体１と器６とが嵌合された状態の容器の斜視図を示しておく。また、図５で示すように器６は、底部と胴部により収容空間を形成し、蓋体１と嵌合可能であれば特段に制限はない。また、この材質についても上記蓋体と同様の材質を使用することができる。
【００２２】
なお、本実施形態に係るスプーンは、容器を開封する際接続部５を切断することで蓋本体部２と分離し、使用可能となる。特に本実施形態によるとスプーンを取り外したとしても蓋本体に孔は形成されないため、容器の繰り返しの使用が可能となるという利点も有する。
【００２３】
以上、本実施形態に係る蓋体及びこれを用いた容器は、スプーンを一体に形成しつつも、蓋本体部２に孔を開けることがないため、機械的強度、密封性に優れたものとなる。
【００２４】
次に、本実施形態に係る蓋体の製造方法およびそれに用いられる金型について説明する。まず、図６は蓋体を製造するための金型の断面図であり、より具体的には図１におけるＢ−Ｂ’線断面に対応して表したものである。
【００２５】
図６が示すとおり本実施形態に係る金型は、蓋体の外面側を形成する金型（以下「外面側金型」という。）８２と蓋体の内面側を形成する金型（以下「内面側金型」という。）８１を有して構成されている。また、図６で示すとおり、これら金型は互いに組み合わせることで内部に凹凸のある空間を形成し、この空間にゲート８３から溶融した材料を注入することで本実施形態に係る蓋体を一体成型することができる。なお、溶融した材料を注入する場合、シール材４は内面側金型８１の上にあらかじめ配置し、蓋本体部とスプーンとを分離するための仕切りとして機能させる。
【００２６】
また、本実施形態に係る内面側金型８１には、外面側金型８２と組み合わされた場合にゲート８３が配置される位置近傍に、切りかかれたリブ成型部分８１１を有するラベル保持部８４が形成されている。図７に、図６における点線で囲まれた領域Ｃ近傍の斜視図（内面側金型８１についてのみ）を示す。本実施形態においては、上記したとおりゲート８３がラベル保持部８４の上に位置することとなる。ラベル保持部８４の平面形状としては、後述するが、シール材４の一部を破ってスプーンと蓋本体部を接続する接続部５を形成することができるよう切りかかれたリブ成型部分８１１を有する限りにおいて特段の制限はなく、円、楕円、不定形等様々の形を採用することができ、特段に限定はされない。なお、図８にも、外面側金型及び内面側金型を組み合わせた場合におけるラベル保持部近傍の上面図、Ｄ−Ｄ’線断面図、Ｅ−Ｅ’線断面図を示しておく。
【００２７】
次に、溶融した材料をこの金型に流した際のその流れについて説明する。図９は図８で示す部分に材料が注入された場合のその流れを示すものである。具体的に説明すると、まずゲート８３から材料を流すと、溶融した材料は外面側金型と内面側金型との間の空間であって、シート材４よりも外面側金型にある空間８５に充填される。また一方で、ゲート８３から材料が注入されると、ラベル保持部８４の切りかかれたリブ成型部分８１１上部のシート材に強い圧力がかかるもののこの下に支えが無いため、この部分のシート材が破断する。この結果、シート材４と内面側金型８１との間の空間８６に流路が形成され、樹脂が充填されることとなる。即ち、この流れにより、蓋本体部とスプーンと一体成型され、しかもこのシート材が破断した部分が接続部となって残り、機械的強度、密封性を保った蓋体及びそれを用いた容器を製造することが可能となる。なおこの製造工程の結果として、本実施形態に係るスプーンにはラベル保持部８４に対応した孔部が形成されることとなる。
【００２８】
以上、このようにすることで、機械的強度、密封性に優れ、かつ、製造工程において溶融した材料の流動性にも優れる蓋体及びそれを用いた容器を得ることができる。
【００２９】
（実施形態２）
本実施形態に係る蓋体は、ほぼ実施形態１と同じであるが、ゲートが外面側金型ではなく内面側金型にある点が異なる。以下、主として異なる点について説明する。
【００３０】
図１０に本実施形態に係る蓋体を製造するための金型の断面図を、図１１に本実施形態にかかる蓋体を製造するための金型のゲート近傍の上面図及び断面図を、図１２に本実施形態にかかる蓋体を製造するための金型のゲート近傍の上面図及び断面図であって、溶融した材料の流れを説明する図を、それぞれ示す。
【００３１】
図１０で示すように、本実施形態においては、内面側金型のラベル保持部８４の中心近傍にゲート８３が形成されている。本実施形態においては、内面側金型からシート材４よりも外側金型側にある空間８５に溶融した材料を供給する必要があるため、シート材４にはゲート８３の位置に合わせて予め穴４１が形成されている。
【００３２】
また、図１１、図１２で示すように、本実施形態において、溶融した材料を本実施形態に係る金型に注入した場合、ゲート８３から注入された溶融した材料は内面側金型と外面側金型との間の空間であってシート材４よりも外面側金型側にある空間８５に充填される。また一方で、ゲート８３から溶融した材料が注入されると、実施形態１と同様、ラベル保持部８４の切りかかれたリブ成型部分８１１上部のシート材が破断する。この結果、実施形態１と同様、シート材４と内面側金型８１との間の空間８６に流路が形成され、樹脂が充填されることとなる。即ち、この流れにより、蓋本体部とスプーンとを一体成型することが可能となる。
【００３３】
以上、本実施形態においても、上記実施形態１と同様、機械的強度、密封性に優れ、かつ、製造工程において溶融した材料の流動性にも優れる蓋体及びそれを用いた容器を得ることができる。
【産業上の利用可能性】
【００３４】
本発明に係る蓋体及び容器は、例えばヨーグルト、プリン、バター、マーガリン等の食品等の容器として産業上の利用可能性がある。もちろん、本容器の効果を利用する限りにおいて食品等以外の用途にも適用は可能である。
【図面の簡単な説明】
【００３５】
【図１】実施形態１に係る容器の蓋体１における内面図である。
【図２】実施形態１に係る容器の蓋体１における外面図である。
【図３】図１におけるＡ−Ａ’断面図である。
【図４】図１におけるＢ−Ｂ’断面図である。
【図５】実施形態１に係る容器の斜視図である。
【図６】実施形態１に係る蓋体を製造するための金型の断面図である。
【図７】実施形態１に係る蓋体を製造するための金型のラベル保持部の斜視図である。
【図８】実施形態１に係る蓋体を製造するための金型のゲート近傍の上面図及び断面図である。
【図９】実施形態１に係る蓋体を製造するための金型のゲート近傍の上面図及び断面図であって、溶融した材料の流れを説明する図である。
【図１０】実施形態２に係る蓋体を製造するための金型の断面図である。
【図１１】実施形態２に係る蓋体を製造するための金型のゲート近傍の上面図及び断面図である。
【図１２】実施形態２に係る蓋体を製造するための金型のゲート近傍の上面図及び断面図であって、溶融した材料の流れを説明する図である。
【符号の説明】
【００３６】
１…蓋体、２…蓋本体部、３…スプーン、４…シール材、５…接続部、６…器、７…、２１…淵部、２２…天板部、３１…皿部、３２…柄部、３３、３５…隆起部、３４…孔部、４１…穴、８１…内面側金型、８２…外面側金型、８３…ゲート、８４…ラベル保持部、８５…空間、８１１…リブ成型部分
【図１】
0005543700.tif 000002
【図２】
0005543700.tif 000003
【図３】
0005543700.tif 000004
【図４】
0005543700.tif 000005
【図５】
0005543700.tif 000006
【図６】
0005543700.tif 000007
【図７】
0005543700.tif 000008
【図８】
0005543700.tif 000009
【図９】
0005543700.tif 000010
【図１０】
0005543700.tif 000011
【図１１】
0005543700.tif 000012
【図１２】
0005543700.tif 000013